(57)【特許請求の範囲】
【請求項１】
天板と、
床面上に立設し前記天板を支持する支持部と、
前記天板上に立設しディスプレイ装置や照明器具、棚板などが取り付けられる支柱と、を備え、
前記床面と前記天板との間の電子機器が収容される内部空間には、前記天板に形成されて該天板の幅方向に延び厚さ方向に貫通する長孔に向かって前記内部空間の空気を排出する排熱ファンが設けられ、
前記支柱は、平面視において前記長孔よりも少なくとも一部において小さい形状に形成されるとともに前記長孔を貫通し前記天板を厚さ方向両側から挟持することで前記天板に対して固定される支持手段によって支持されていることを特徴とするデスクシステム。
【請求項２】
前記内部空間には、前記電子機器が収容される電子機器収容部が形成されて、前記排熱ファンは前記電子機器収容部の上方に設けられているとともに、前記長孔は前記排熱ファンの上方に形成されていることを特徴とする請求項１に記載のデスクシステム。
【請求項３】
前記内部空間には、前記天板に形成された開口部を介して前記天板の上方の空間と連通可能に設けられ配線が収容される配線収容部が形成されて、前記開口部は前記長孔よりも前方に位置していることを特徴とする請求項１または２に記載のデスクシステム。
【請求項４】
前記天板には、前記開口部を閉塞可能な閉塞部材が設けられていることを特徴とする請求項３に記載のデスクシステム。
【請求項５】
前記閉塞部材の縁部および前記開口部の縁部の少なくとも一方には、他方と当接する弾性部材が設けられ、前記弾性部材を弾性変形させることで前記配線収容部と前記天板の上方の空間との間で配線可能であることを特徴とする請求項４に記載のデスクシステム。
【発明の詳細な説明】
【技術分野】
【０００１】
本発明は、オフィスやトレーダールームなどの執務空間にて使用され、内部に電子機器を収容可能なデスクシステムに関する。
【背景技術】
【０００２】
従来より、オフィスやトレーダールームなどの執務空間では、天板下などの内部に電子機器を収容可能なデスクシステムが使用されている。このようなデスクシステムには、例えば特許文献１および２に開示されているように、収容された電子機器から生じた熱を外部へ排出する排熱ファンを備えているものがある。このように排熱ファンを備えたデスクシステムでは、排熱ファンから送風された空気を外部へ排出するための排気孔が例えば天板などに設けられている。
【０００３】
また、特許文献３および４に開示されているような、天板を支持するフレーム（支持部）に電子機器と接続されたディスプレイを設置するための支柱を取り付たデスクシステムも使用されている。
【先行技術文献】
【特許文献】
【０００４】
【特許文献１】特開平１０−１０５２８４号公報
【特許文献２】特開２００１−２５１号公報
【特許文献３】特開２０００−７００５１号公報
【特許文献４】特開２００２−６５３６７号公報
【発明の概要】
【発明が解決しようとする課題】
【０００５】
しかしながら、デスクシステムは、様々な機能が付加されると、利便性は向上するが構造が複雑になるため、高価になるとともに製造や組み立てに時間がかかるという問題がある。特に、排熱ファンから送風された空気を排出するための排気孔および支柱の両方が設置されたデスクシステムでは、使用者から遠いデスクシステムの後側にこれらの排気孔や支柱が集中して設置されるため、後側の構造が複雑になっている。
【０００６】
本発明は、上述する問題点に鑑みてなされたもので、排熱ファンから送風された空気を排出するための排気孔、およびディスプレイなどが取り付けられる支柱が設置されたデスクシステムを簡易な構造にすることを目的とする。
【課題を解決するための手段】
【０００７】
上記目的を達成するため、本発明に係るデスクシステムは、天板と、床面上に立設し前記天板を支持する支持部と、前記天板上に立設しディスプレイ装置や照明器具、棚板などが取り付けられる支柱と、を備え、前記床面と前記天板との間の電子機器が収容される内部空間には、前記天板に形成されて該天板の幅方向に延び厚さ方向に貫通する長孔に向かって前記内部空間の空気を排出する排熱ファンが設けられ、前記支柱は、平面視において前記長孔よりも少なくとも一部において小さい形状に形成されるとともに前記長孔を貫通し前記天板を厚さ方向両側から挟持することで前記天板に対して固定される支持手段によって支持されていることを特徴とする。
【０００８】
本発明では、内部空間の空気を天板に形成された長孔から内部空間の外方へ排出する排熱ファンを備えていることにより、電子機器から生じた熱によって高温となった空気を効率よく内部空間の外方へ排出することができる。
また、天板上に立設する支柱を備えていることにより、ディスプレイ装置や照明器具、棚板などが取り付けられてデスクシステムの利便性を高めることができる。
【０００９】
さらに、本発明では、長孔を貫通し天板を厚さ方向両側から挟持することで天板に対して固定される支持手段によって支柱が天板上に立設した状態に支持されている。そして、支持手段は平面視において長孔よりも少なくとも一部において小さい形状に形成されていることにより、支持手段が長孔を塞ぐことがなく、支持手段が天板に取り付けられた状態でも排熱ファンから排出された空気を長孔から排出することができる。
このように、長孔は、電子機器から生じた熱を排出するための孔部と、支柱を支持する支持手段を天板に固定するための孔部と、を兼ねているため、両方の孔部を形成する必要がなくデスクシステムの構造を簡易にすることができる。
【００１０】
また、本発明に係るデスクシステムでは、前記内部空間には、前記電子機器が収容される電子機器収容部が形成されて、前記排熱ファンは前記電子機器収容部の上方に設けられているとともに、前記長孔は前記排熱ファンの上方に形成されていることが好ましい。
このように、内部空間には、電子機器が収容される電子機器収容部が形成されて、排熱ファンは電子機器収容部の上方に設けられているとともに、長孔は排熱ファンの上方に形成されていることにより、内部空間において安定した空気の流れが確保されるため、内部空間の排熱効果を高めることができる。
【００１１】
また、本発明に係るデスクシステムでは、前記内部空間には、前記天板に形成された開口部を介して前記天板の上方の空間と連通可能に設けられ配線が収容される配線収容部が形成されていて、前記開口部は前記長孔よりも前方に位置していることが好ましい。
このように、内部空間には、天板に形成された開口部を介して天板の上方の空間と連通可能に設けられ配線が収容される配線収容部が形成されていて、開口部は長孔よりも前方に位置していることにより、使用者がデスクシステムの前方から開口部を介して配線収容部の配線作業を行う際に、配線収容部よりも後方に位置する長孔から排出された温風が使用者に当たることがないため、快適に作業を行うことができる。
【００１２】
また、本発明に係るデスクシステムでは、前記天板には、前記開口部を閉塞可能な閉塞部材が設けられていることが好ましい。
このように、天板には、開口部を閉塞可能な閉塞部材が設けられていることにより、開口部を閉塞すれば、開口部から配線収容部に空気が流入することを防止できる。このため、排熱ファンは、開口部から配線収容部に流入した空気を吸引することがなく、電子機器収容部の空気を外部へ確実に排出することができるため、排熱効果を高めることができる。
【００１３】
また、本発明に係るデスクシステムでは、前記閉塞部材の縁部および前記開口部の縁部の少なくとも一方には、他方と当接する弾性部材が設けられ、前記弾性部材を弾性変形させることで前記配線収容部と前記天板の上方の空間との間で配線可能であることが好ましい。
このように、閉塞部材の縁部および開口部の縁部の少なくとも一方には、他方と当接する弾性部材が設けられていることにより、開口部を確実に閉塞することができる。また、開口部を挿通するケーブルなどが設置されている場合に、ケーブルの側面に弾性部材が弾性変形して密着することによって、ケーブルが挿通されたことによってできる開口部と閉塞部材との隙間を少なくすることができる。
【発明の効果】
【００１４】
本発明によれば、天板に形成された長孔は、電子機器から生じた熱を排出するための孔部と、支柱を支持する支持手段を天板に固定するための孔部と、を兼ねているため、両方の孔部を形成する必要がなくデスクシステムの構造を簡易にすることができ、デスクシステムにかかるコストを抑えることができるとともに製造や組み立てにかかる時間を短縮することができる。
【図面の簡単な説明】
【００１５】
【図１】本発明の実施形態によるデスクシステムの一例を示す図である。
【図２】図１に示すデスクシステムの前面図である。
【図３】天板部を説明する図である。
【図４】電子機器収容部を説明する図である。
【図５】排熱ファン収容部および配線収容部を説明する図である
【図６】配線収容部と排熱ファンを説明する図である。
【図７】配線収容部と排熱ファンを説明する斜視図である。
【発明を実施するための形態】
【００１６】
以下、本発明の実施形態によるデスクシステムについて、図１乃至図７に基づいて説明する。
図１および図２に示すように、本実施形態によるデスクシステム１は、平面視矩形状の天板部（天板）２と、床面Ｆに立設し天板部２の両側端部を支持する１対の支持部３，３と、を備えている。
図１に示すように、天板部２と床面Ｆとの間には内部空間Ｓが形成されている。そして、この内部空間Ｓは、電子機器１１が収容される電子機器収容部Ｓ１と、電子機器収容部Ｓ１の空気を内部空間Ｓの外方に排出する排熱ファン１２が収容される排熱ファン収容部Ｓ２と、電子機器１１と接続される配線１３が収容される配線収容部Ｓ３と、から構成されている。この配線１３とは、電子機器１１と電源や各種機器、照明装置と電源などを接続するために用いられるものであり、電源用や通信用の各種ケーブルのみならず、ＯＡタップ、ローゼットなども含む。
【００１７】
また、デスクシステム１は、天板部２において、使用者が位置する前部と反対側の後部で上側に突出するように立設する支柱４を備えており、この支柱４にはディスプレイ（ディスプレイ装置）１４が取り付けられている。
そして、図１において、ディスプレイ１４は、表示画面が、使用者（不図示）が図中の左側となる前側から図中右側となる後側を見ることで確認できるように支柱４に取り付けられている。
【００１８】
図１および図３に示すように、天板部２は、電子機器１１およびディスプレイ１４と接続されたキーボード１５（図１参照）などが載置される天板本体２１と、天板本体２１よりも後側に位置し支柱４が固定される支柱固定部２２とを備えている。天板本体２１および支柱固定部２２は、ともに支持部３，３に支持されている。
天板本体２１と支柱固定部２２とは、同じ高さに前後方向へ互いに間隔をあけるように設置されている。この天板本体２１と支柱固定部２２との間には、配線用開口部（開口部）２３が形成されている。
【００１９】
配線用開口部２３は、配線収容部Ｓ３の上部に位置している。そして、この配線用開口部２３を介して配線収容部Ｓ３と天板部２の上方の空間とが連通可能で、使用者が天板部２の上方の空間から配線収容部Ｓ３へアクセス可能となるように構成されている。また、配線用開口部２３は、天板部２の上方の空間から配線収容部Ｓ３へ配線１３が挿入可能であるとともに、使用者が天板部２の上方の空間から手を挿入して配線収容部Ｓ３で作業ができる大きさに形成されている。配線用開口部２３は、天板部２の略全幅にわたって形成されている。
また、天板部２は、配線用開口部２３を閉塞可能なカバー部材（閉塞部材）２４を備えている。なお、カバー部材２４は、１つ部材で配線用開口部２３を閉塞する形態としてもよく、複数の部材で配線用開口部２３を閉塞する形態としてもよい。
【００２０】
カバー部材２４には、その前端部および後端部にゴムなどの弾性部材２５が取り付けられている。カバー部材２４が配線用開口部２３に設置されると、弾性部材２５が配線用開口部２３の縁部と接触し、配線用開口部２３を略密閉することができる。
また、図３に示すように、配線用開口部２３に配線（ケーブル）１３が挿通された状態でカバー部材２４を設置すると、弾性部材２５が配線１３の側面に沿った形状に弾性変形し、配線１３とカバー部材２４との隙間を少なくすることができる。
更に、使用者がカバー部材２４を配線用開口部２３へ取り付けたり、配線用開口部２３から取り外したりする際に、弾性部材２５を弾性変形させることでカバー部材２４を持ち易くすることができる。
本実施形態では、弾性部材２５は、中空の管状に形成されている。なお、弾性部材２５は、帯状など他の形状に形成されていてもよい。また、弾性部材２５は、カバー部材２４の前端部および後端部だけでなく側端部に取り付けられていてもよい。
【００２１】
図１および図３に示すように、支柱固定部２２は、横方向に延在するとともに前後方向に所定の間隔をあけて設置された一対の角型パイプ２６，２６を備えている。これら一対の角型パイプ２６，２６は、両側部がそれぞれ支持部３に支持されている。そして、一対の角型パイプ２６，２６の間には、一対の角型パイプ２６，２６と一対の支持部３とに囲まれた長孔２６ａが形成されている。図１に示すように、この長孔２６ａは、天板２を上下方向（厚さ方向）に貫通しているとともに、配線用開口部２３よりも後方に位置している。
【００２２】
一対の角型パイプ２６，２６は、横方向複数箇所に設けられた固定手段（支持手段）３０によって一体とされている。固定手段３０は、一対の角型パイプ２６，２６の上側に設置された上側板部材２７（図１参照）一対の角型パイプ２６，２６の下側に設置された下側板部材２８（図１参照）と、長孔２６ａに挿通されて上側板部材２７および下側板部材２８を連結する固定具２９とを有する。
【００２３】
そして、一対の角型パイプ２６、２６は、固定具２９によって連結された上側板部材２７および下側板部材２８により上下側から挟持されることで一体となるように固定されている。なお、図３に示すように、隣り合う固定手段３０は、所定の間隔をあけて一対の角型パイプ２６，２６に取り付けられており、長孔２６ａは、固定手段３０が取り付けられている部分以外は、上下方向に貫通している。
【００２４】
また、固定手段３０の上側板部材２７には支柱４が固定されており、固定手段３０は支柱４を天板部２に立設した状態に支持する支持手段としても機能している。
なお、一対の角型パイプ２６，２６に対して、固定手段３０を取り付ける位置や、固定手段３０の数は適宜設定されてもよい。
【００２５】
図４に示すように、天板部２と床面Ｆとの間の内部空間Ｓにおいて、後側には後面パネル３１が、両側方には側面パネル３２，３２が、それぞれ配設されている。また、内部空間Ｓの前側には開口部３３が形成されるとともに開口部３３を開放・閉塞する扉３４が設置されている。
なお、天板部２を複数配列して使用する場合は、配列された複数の天板部２の両側方に側面パネル３２，３２が配設されていてもよい。
内部空間Ｓは、扉３４で開口部３３を閉塞することで、外部と区画された状態となっている。
【００２６】
本実施形態では、扉３４は２枚の中折れ戸３５，３５からなる中折れ観音式扉となっている。具体的には、中折れ戸３５の一方の端部３５ａが水平面内において回転可能に取り付けられて、他方の端部３５ｂが開口部３３に設けられたレール３６に沿って水平方向に移動することで、開口部３３を開放・閉鎖している。
そして、扉３４を開放したときに、２枚の中折れ戸３５，３５の他方の端部３５ｂをレール３６から外すことによって、開口部３３を更に拡張することができる。
【００２７】
図１に示すように、電子機器収容部Ｓ１は、内部空間Ｓにおいて下部側に位置している。また、排熱ファン収容部Ｓ２および配線収容部Ｓ３は、内部空間Ｓにおいて上部側に位置している。そして、排熱ファン収容部Ｓ２および配線収容部Ｓ３は前後方向に隣接しており、後側に排熱ファン収容部Ｓ２、前側に配線収容部Ｓ３となるように配されている。
電子機器収容部Ｓ１は、開口部３３に面していて、開口部３３からのアクセスが可能となっている。また、排熱ファン収容部Ｓ２および配線収容部Ｓ３は、天板部２と面していて、配線収容部Ｓ３については上記のとおり天板部２に設けられた配線用開口部２３からアクセスすることが可能となっている。
電子機器収容部Ｓ１、排熱ファン収容部Ｓ２および配線収容部Ｓ３は、それぞれ内部空間Ｓの全幅にわたって形成されている。
【００２８】
電子機器収容部Ｓ１には、収容される電子機器１１を載置するとともに床面Ｆ上を走行するキャスター３７を備えた棚板３８が設置されている。そして、扉３４を開いて開口部３３を開放した状態で棚板３８を移動させることで、電子機器１１を電子機器収容部Ｓ１に出し入れすることができる。
【００２９】
図１および図５に示すように、電子機器収容部Ｓ１と配線収容部Ｓ３との間には、両者を区画するための第１区画板（区画板）４１および第２区画板（区画板）４２が横方向に複数配列されている。第１区画板４１および第２区画板４２は、前後方向に隣接しており、後側に第１区画板４１、前側に第２区画板４２が設置されている。第１区画板４１および第２区画板４２には、複数のスリット（通気孔）４３（図５参照）が形成されている。
そして、第１区画板４１および第２区画板４２に複数のスリット４３が形成されていることにより、電子機器収容部Ｓ１および配線収容部Ｓ３間における空気の流出入が可能となっている。
【００３０】
電子機器収容部Ｓ１と配線収容部Ｓ３との間には、前後方向に延在する長尺の支持材４４が横方向に互いに間隔をあけて複数設置されている。第１区画板４１および第２区画板４２は、複数の支持材４４の上に設置されていて、支持材４４に対して着脱可能に構成されている。第１区画板４１および第２区画板４２の上において、配線収容部Ｓ３となる範囲には配線１３（図１参照）が載置されている。
【００３１】
図５に示すように、第１区画板４１は、面方向を水平面とする水平板部４１ａと、水平板部４１ａの後端部に接続されて面方向を鉛直方向とする鉛直板部４１ｂと、水平板部４１ａの前端部に接続されて上方に立ち上がる立ち上がり部４１ｃとを備えている。
鉛直板部４１ｂは、排熱ファン収容部Ｓ２と配線収容部Ｓ３との間に位置し、その上端部は天板部２の下面近傍まで達している。
また、立ち上がり部４１ｃは、鉛直板部４１ｂよりも低く、配線収容部Ｓ３の空間を分割しない高さに形成されている。
スリット４３は、水平板部４１ａおよび鉛直板部４１ｂに形成されている。そして、鉛直板部４１ｂにスリット４３が形成されていることにより、電子機器収容部Ｓ１および排熱ファン収容部Ｓ２間における空気の流出入が可能となっている。
また、第１区画板４１には、水平板部４１ａの横方向の端部に、配線１３（図１参照）が挿通される切欠き部４１ｄが形成されている。
【００３２】
第２区画板４２は、側面視略Ｃ字型状に形成され、面方向を水平方向とする水平板部４２ａと、水平板部４２ａの前端部および後端部に接続されている立ち上がり部４２ｂとを備えている。スリット４３は、水平板部４１ａに形成されている。
立ち上がり部４２ｂは第１区画板４１の立ち上がり部４１ｃと同様に、配線収容部Ｓ３の空間を分割しない高さに形成されている。
また、第２区画板４２には、水平板部４２ａの横方向の端部に、配線１３（図１参照）が挿通される切欠き部４２ｄが形成されている。
【００３３】
図１および図５に示すように、排熱ファン収容部Ｓ２は、支持材４４の上側に位置している。そして、排熱ファン１２は、支持材４４に固定具４６で固定されている。なお、本実施形態では、排熱ファン１２は、防振ゴム４７（図５参照）を介して支持材４４に固定されている。
また、本実施形態では、排熱ファン１２に横方向に延設されたクロスファンが使用されており、下方および側方の空気を吸引するとともに、この空気を上方へ排出している。
排熱ファン１２の下方には電子機器収容部Ｓ１が位置し、側方には配線収容部Ｓ３が位置しているため、排熱ファン１２は電子機器収容部Ｓ１および配線収容部Ｓ３の空気を吸引している。
そして、排熱ファン１２は、吸引した空気を上方に排出し、この排熱ファン１２から排出された空気は、支柱固定部２２の一対の角型パイプ２６，２６の間に形成された長孔２６ａから天板部２の上方へ排出されている。
【００３４】
図１に示すデスクシステム１において、電子機器１１を使用することによって電子機器１１から熱が生じると、この熱によって電子機器収容部Ｓ１の電子機器１１周辺の空気が高温となる。電子機器収容部Ｓ１の高温となった空気は上昇し、排熱ファン収容部Ｓ２および配線収容部Ｓ３へ移動する。このとき、電子機器収容部Ｓ１から配線収容部Ｓ３へ上昇する空気は、図５に示す第１区画板４１の水平板部４１ａおよび第２区画板４２の水平板部４２ａに形成されたスリット４３を通過している。
また、排熱ファン１２が駆動していることにより、電子機器収容部Ｓ１および配線収容部Ｓ３の空気が排熱ファン１２に吸引される。このとき、配線収容部Ｓ３から排熱ファン１２に吸引される空気は、図５に示す第１区画板４１の鉛直板部４１ｂに形成されたスリット４３を通過している。
そして、排熱ファン１２に吸引された空気は、上方に向かって強制的に送風され、長孔２６ａから天板部２の上方の空間へ排出される。
なお、図５に示すように、扉３４には、通気用のスリット３４ａが形成されているため、電子機器収容部Ｓ１には外部から空気が流入している。
【００３５】
図６および図７に示すように、配線収容部Ｓ３は、第１区画板４１を取り外すと、前後方向に隣接する排熱ファン収容部Ｓ２と連通した状態となっている。そして、この状態において、使用者が天板部２の上方の空間から配線用開口部２３および配線収容部Ｓ３を通して排熱ファン１２に接触できるようになっている。
また、配線収容部Ｓ３および配線用開口部２３は、排熱ファン１２を出し入れ可能な大きさに形成されていて、排熱ファン１２の取付・取り外し作業やメンテナンス作業を天板部２の上方の空間から行うことができるようになっている。
【００３６】
次に、上述したデスクシステム１の効果について説明する。
本実施形態によるデスクシステム１によれば、天板部２に形成された長孔２６ａは、電子機器１１から生じた熱を外部へ排出するため孔部と、支柱４を天板部２上に立設するために固定手段３０を固定するための孔部とを兼ねていることにより、両方の孔部をそれぞれ形成する必要がなく、デスクシステム１の構造を簡易にすることができる。このため、デスクシステム１にかかるコストを抑えることができるとともに製造や組み立てにかかる時間を短縮することができる。
【００３７】
また、排熱ファン１２は電子機器収容部Ｓ１の上方に設けられているとともに、長孔２６ａは、排熱ファン１２上方に形成されていることにより、内部空間Ｓにおいて安定した空気の流れが確保されるため、内部空間Ｓの排熱効果を高めることができる。
また、配線用開口部２３は長孔２６ａよりも前方に位置していることにより、デスクシステム１の前方から配線用開口部２３を介して配線収容部Ｓ３の配線作業を行う際に、作業を行う使用者に排熱ファン１２によって長孔２６ａから排出された温風が当たることがないため、使用者が快適に作業を行うことができる。
【００３８】
以上、本発明によるデスクシステム１の実施形態について説明したが、本発明は上記の実施形態に限定されるものではなく、その趣旨を逸脱しない範囲で適宜変更可能である。
例えば、上述した実施形態では、支柱４にディスプレイ１４が取り付けられているが、ディスプレイ１４に代わって、照明器具や収納棚などが取り付けられていてもよい。
また、上述した実施形態では、電子機器収容部Ｓ１と配線収容部Ｓ３とは第１区画板４１および第２区画板４２に形成されたスリット４３によって空気の出入が可能であるが、電子機器収容部Ｓ１と配線収容部Ｓ３との空気の出入を遮断して、電子機器１１から生じる熱が配線収容部Ｓ３を介さずに排熱ファン収容部Ｓ２へ流入する形態としてもよい。
【００３９】
また、上述した実施形態では、カバー部材２４の前端部および後端部に弾性部材２５が取り付けられているが、カバー部材２４に弾性部材２５を設けずに、配線用開口部２３の縁部に弾性部材２５を取り付けてもよい。また、カバー部材２４の前端部および後端部、配線用開口部２３の縁部の両方に弾性部材２５を取り付けてもよく、これら両方に弾性部材２５を取り付けていなくてもよい。
また、上述した実施形態では、配線収容部Ｓ３は、電子機器収容部Ｓ１の上部に隣接していて、電子機器収容部Ｓ１と通気可能であるが、電子機器収容部Ｓ１と離間していてもよく、また、電子機器収容部Ｓ１と通気可能でなくてもよい。
【００４０】
また、上述した実施形態では、一対の支持部３，３で天板部２を支持しているが、天板部２を支持する支持部３の数は２つ以外でもよい、
また、上述した実施形態では、天板部２と床面Ｆとの間の内部空間Ｓには、後側に後面パネル３１が設置されているが、２台のデスクシステム１をその後面が互いに対向するように設置する場合は、後面パネル３１を設置しなくてもよい。
【符号の説明】
【００４１】
１  デスクシステム
２  天板部
３  支持部
１１  電子機器
１２  排熱ファン
１３  配線
１４  ディスプレイ（ディスプレイ装置）
２３  配線用開口部（開口部）
２４  カバー部材（閉塞部材）
２５  弾性部材
２６ａ  長孔
３０  固定手段（支持手段）
Ｓ１  電子機器収容部
Ｓ３  配線収容部  
Ｆ  床面
【図１】
0005542598.tif 000002
【図２】
0005542598.tif 000003
【図３】
0005542598.tif 000004
【図４】
0005542598.tif 000005
【図５】
0005542598.tif 000006
【図６】
0005542598.tif 000007
【図７】
0005542598.tif 000008